(57)【要約】      （修正有）【課題】既存のホースリールをそのまま活用できるうえ、一本の柱状体が固定できるスペースがあれば屋外はもとより屋内でも設置可能で、柱状体の高さを調整することにより、ホースリールを腰の高さに設置し、任意に方向にリールを向けることができるホースリール用スタンドを提供する。  【解決手段】載置したホースリール１１を固設する天面、及び所定の長さの軸が接合された底面を有する台座部２０と、上端には、台座部を軸支する軸受が内嵌され、下端には、地中に埋設され、若しくは平面に固定される脚部３１を有する所定の長さの円筒管３０と、を備え、台座部が水平方向に回転自在である。【選択図】図１
0003230050.tif 000002
【実用新案登録請求の範囲】
【請求項１】
載置したホースリールを固設する天面、及び所定の長さの軸が接合された底面を有する台座部と、
上端には、前記台座部を軸支する軸受が内嵌され、下端には、地中に埋設され、若しくは平面に固定される脚部を有する所定の長さの円筒管と、を備え、
前記ホースリールからホースが引き出されるとき、前記台座部が水平方向に回転自在であることを特徴とするホースリール用スタンド。
【請求項２】
前記軸受は、前記軸の長さよりも底が浅く、該軸が回転自在な内径を有する筒状体であって、前記台座部の前記底面を前記円筒管の前記上端から浮かせて軸支することを特徴とする請求項２記載のホースリール用スタンド。
【請求項３】
前記円筒管の上端周縁及び前記台座部の底面若しくは側面に、該台座部の回転を規制する係止部材を有することを特徴とする請求項１記載のホースリール用スタンド。
【請求項４】
前記円筒管は、前記下端の周縁に、前記平面と平行に延設され、等角度をなした少なくとも３枚の板状部材を有し、該板状部材それぞれの先端付近に形成された穴にスティック・ペグを挿入するか、若しくはボルトを挿入して該平面に固定することを特徴とする請求項１記載のホースリール用スタンド。
【請求項５】
前記ホースリールは、ボルト、ベルト、若しくはクランプを用いて前記台座部に緊合して固設することを特徴とする請求項１記載のホースリール用スタンド。
【請求項６】
前記台座部の側面に、ピンが挿通する穴を形成し、
前記円筒管は、前記台座部の回転に応じて回動する穴に重なる穴が形成された腕金具が前記上端周縁に少なくとも１本延設されたものであり、
前記ホースリールにホースを巻き取るときは、所望の方向に延設された前記腕金具の穴に前記台座部の穴を重ね合せて係止し、前記ホースの巻き取り方向を固定することを特徴とする請求項３載のホースリールスタンド。
【考案の詳細な説明】
【技術分野】
【０００１】
本考案は、ホースを引き出す方向又は巻き取る方向に応じて、ホースリールを載置した台座が水平方向に自在に回転することや、強制的に停止させることができるホースリール用スタンドに関するものである。
【背景技術】
【０００２】
園芸や農業などを行う際に散水するホースは、引き出すことや、巻き取ることが可能なホースリールに収容されて使用されることが多い。ホースリールは、一般的に、ホースを巻き取るドラムと、そのドラムを回転自在に支持するリールと、ドラムを回転させるハンドルとで構成されている。そして庭などの地面に置かれることが多いので、ホー スを引き出したり、引出したホースを巻き取る際に腰をかがめる必要があり、作業者の負担になることから、ホースリールから離れた場所で操作し、ホースリールが転倒してしまうことや、引き出したホースがそのまま放置されることがある。
そのため、ホースリールが転倒するのを防ぐサイドステップを設けたものが提案されたが、サイドステップの形状、サイズ、取リ付 方向が固定されているので、使い勝手が良く ないと言う課題があった。
そこで、ホースを巻き取るリールが収容され、底面に開口部が形成されたケースと、ケー スの外方に延出した第１の状態と開口部を覆う第２の状態との間で姿勢が変化するよ うに、一対のサイドステップをケースの底面に着脱自在に備えて、状況に応じてその取付位置 や形状、大きさを変えることができるようにして、ホースの出し入れや収納時にケースが転倒しないようにしたホースリールが提案されている（特許文献１参照）。
【０００３】
この方法では、ホースを巻き取るときの腰をかがめる動作は改善されないことなどから、門型の架台を設けて、そこに取り付けたホースリール固定具でホースリールを固定し、高さを高くするホースリールの固定装置が提案されている（特許文献２参照）。
しかしながら、この固定装置では、リール本体の向きが固定されてしまうので、ホー スを伸ばす方向によっては、ホースの使用・収納が非効率になる。
そこで、ホースを巻き取るドラムを、地面から浮いた状態で、かつ、水平方向に回転自在に支持するリールと、ドラムを回転させるハンドルを、ドラムの側面両側に設けることにより、リールの向きに関らず作業者が容易にドラムを回転できるようにしたホースリールが提案されている（特許文献３参照）
【先行技術文献】
【特許文献】
【０００４】
【特許文献１】実用新案登録第３１４５４２７号公報
【特許文献２】特開２０００−１５３９６６号公報
【特許文献３】特許第４３１５９９７号公報
【考案の概要】
【考案が解決しようとする課題】
【０００５】
しかしながら、ドラムを所定の高さに浮かせた状態に支持するために、上記の方法では、門型の架台にホースリールを吊り下げるか、建物の壁や塀に固定設置する必要がある。そこで、一定の設置スペースが必要となることや設置条件が限定されてしまう。また、既存のホースリールをそのまま活用することが出来ない。
本考案は、かかる事情に鑑み、既存のホースリールをそのまま活用できるうえ、一本の柱状体が固定できるスペースがあれば屋外はもとより屋内でも設置可能であり、柱状体の高さを調整することにより、腰の高さにホースリールを設置することが可能で、ホースを引き出すときは、リールを引き出す方向に自在に向けることも、また巻き取るときは、リールを一定の方向に向けたまま保持できるホースリール用スタンドを提供することを目的とする。  
【課題を解決するための手段】
【０００６】
本考案は、載置したホースリールを固設する天面、及び所定の長さの軸が接合された底面を有する台座部と、上端には、上記台座部を軸支する軸受が内嵌され、下端には、地中に埋設され、若しくは平面に固定される脚部を有する所定の長さの円筒管と、を備え、上記ホースリールからホースが引き出されるとき、上記台座部が水平方向に回転自在であることを特徴とする。
このように、円筒管を固定し、その上端に内嵌した軸受に台座部の底面に接合された軸を軸支すれば、ホースを引出す際にホースリールをその方向に自在に回転させることができる。
その場合、上記軸受は、上記軸の長さよりも底が浅く、該軸が回転自在な内径を有する筒状体であって、上記台座部の上記底面を上記円筒管の上記上端から浮かせて軸支することが出来るので、台座部を円滑に回転させることが出来る。
そして、上記円筒管の上端周縁及び上記台座部の底面若しくは側面に、該台座部の回転を規制する係止部材を有することが好ましい。
具体的には、上記台座部の側面に、ピンが挿通する穴を形成し、上記円筒管は、上記台座部の回転に応じて回動する穴に重なる穴が形成された腕金具が上記上端周縁に少なくとも１本延設されたものであり、上記ホースリールにホースを巻き取るときは、所望の方向に延設された上記腕金具の穴に上記台座部の穴を重ね合せて係止することによっても、上記ホースの巻き取り方向を固定することができる。
ここで、上記円筒管は、上記下端の周縁に、上記平面と平行に延設され、等角度をなした少なくとも３枚の板状部材を有し、該板状部材それぞれの先端付近に形成された穴にスティック・ペグを挿入するか、若しくはボルトを締結することにより該平面にしっかりと固定することができる。
また、上記ホースリールは、ボルト、ベルト、若しくはクランプを用いて上記台座部に緊合して固設することができる。
【考案の効果】
【０００７】
本考案のホースリール用スタンドによれば、狭いスペースに円筒管を設置して、既存のホースリールを腰の高さ程度に固定できるうえ、ホースを引き出すときは、引き出す方向にリールを自在に向けることができ、またホースをハンドルで巻き取るときは、リールを一定の方向に向けたままロックすることができるので散水作業が容易になる。  
【図面の簡単な説明】
【０００８】
【図１】図１は、第１実施形態のホースリール用スタンドの一例を示す斜視図である。
【図２】図２は、台座部天面の平面図である。
【図３】図３は、台座部の正面図である。
【図４】図４は、円筒管正面の断面図である。
【図５】図５は、脚部となる板状部材の平面図である。
【図６】図６は、腕金具の平面図である。
【図７】図７は、軸受けとなる筒状体の正面断面図である。
【図８】図８は、筒状体の平面図である。
【考案を実施するための形態】
【０００９】
以下に、本考案の実施形態を図に基いいて説明する。
［第１実施形態］
図１は、第１実施形態のホースリール用スタンドの一例を示す斜視図である。
図１に示すホースリール用スタンド１０は、一般に市販されているホースリール１１を載置する所定の大きさの天面２１及び軸２３が接合された底面２２を有する台座部２０と、上端には台座部２０を軸支する軸受４０が内嵌され、下端には、地面に固定される脚部３１を有する所定の長さの円筒管３０と、を備えている。
本実施形態の円筒管３０は、下端の周縁に、等角度をなした４つの板状部材３５が地面と平行に延設され、脚部３１を構成している。そしてそれぞれの板状部材３５の先端付近には穴３６を設けてあるので、その穴３６にスティック・ペグを挿入して地面にしっかりと固定することが出来る。なお、脚部３１を載置する平面が、コンクリートや床面等の場合は、挿入したボルトを締結してしっかりと固定する。
【００１０】
本実施形態のホースリール１１は、台座部２０の天面２１に載置して、複数の個所をクランプ２５で台座部２０に緊合して固設しているが、必ずしもクランプ２５を用いて固設する必要はなく、ホースリール１１から台座部２０まで貫通する穴をあけて、ボルトで緊合してもよいし、伸縮性のあるベルトで両者を緊縛して固設してもよい。
なお、図には現れていないが、円筒管３０の上端には、台座部２０の回転を止める腕金具３２があり、台座部２０には腕金具３２に係止する穴２４が設けてある。
従って、ホースリール１１からホース１３が引き出されるとき、台座部２０が水平方向に回転自在であることから、引き出される方向に回転し、ハンドル１４を回してホースリール１１にホース１３を巻き取るときは、巻き取る方向に向けた台座部２０を腕金具３２に係止して回転を規制することができる。
ここで、本実施形態のホースリール・スタンド１０は、鉄製で、台座部２０は、一辺が３７０ｍｍ乃至４００ｍｍの四角形をなし、底面２２に、長さが１００ｍｍ、径が３０ｍｍΦの軸２３が接合され、円筒管３０は、高さが７００ｍｍから１０００ｍｍ、外径が６００ｍｍΦ乃至７００ｍｍΦのパイプであり、腕金具３２は、太さが５ｍｍ、長さが２５ｍｍ乃至３０ｍｍで先端に穴（リング）３３が形成され、板状部材３５は、幅が５０ｍｍ、長さが３００ｍｍ乃至４００ｍｍ厚さが５ｍｍ程度に設定されているが、ここで示す数値は一例であって、必ずしもこれらの数値に限定する必要はない。また、必ずしも鉄製である必要はなく、樹脂製であってもよい。
【００１１】
図２及び図３は、台座部を示す図であり、図２は天面の平面図、図３は、正面図である。
図２及び図３に示す台座部２０は、四角形をなし、隅の側面に円形の穴（リング）２４が形成されている。そして、底面２２の中央には、軸２３が接合されている。
本実施形態では、ホースリール１１のフレーム１２と台座部２０とをクランプ２５で緊合してホースリール１１を固定しているが、ホースリール１１を載置したときにフレーム１２が当接する複数個所にボルト用の穴を設けてもよいし、伸縮性があり、所定の長さで固定して緊縛できるバンドを底面などに取付けてもよい。
【００１２】
図４から図８は、円筒管及びその一部を一例として示す図であり、図４は円筒管正面の断面図、図５は脚部となる板状部材の平面図、図６は、腕金具の平面図、図７は軸受けとなる筒状体の正面断面図、図８は筒状体の平面図である。
図４から図８に示す円筒管３０は、中空の円形パイプで、上端の周縁には、腕金具３２が水平方向に延設され、下端の周縁には、脚部３１となる板状部材３５が地面に並行となる水平方向に延設されている。そして、上端の開口には、台座部２０の底面２２にある軸２３を嵌め込む軸受４０となる筒状体４１が内嵌めされている。
【００１３】
腕金具３２は、上端の周縁から水平方向に３本延設され、互いに１２０度をなしており、先端に穴（リング）３３が形成されている。長さは、穴（リング）３３が形成された台座部２０の隅から軸２３が接合された中心までの距離と等しくなるように設定されている。
したがって、台座部２０が回転すると、台座部２０と腕金具３２の穴（リング）３３相互が重なり、そこにピンを差し込めば、回転が出来ない状態になる。
ここでは、腕金具３２を３本設けているが、必ずしも３本に限定する必要はなく、本数を増減してもよい。本数が多ければ、ホースリール１１にホース１３を巻き取るときにホースリール１１の向きを固定する角度をきめ細かく設定することができる。
また、台座部２０の回転を規制するのは、必ずしも腕金具３２と台座部２０側面の穴（リング）２４による必要はなく、台座部２０の底面２２と円筒管３０の上端に係止部材を設けることにより行うこともできる。
【００１４】
脚部３１となる板状部材３５は、下端の周縁から水平方向に４枚延設され、互いに９０度をなしており、先端付近にスティックペグ又はボルトを差し込む穴３６が形成されている。
従って、脚部３１を地面に載置したときは、スティックペグを地面に深く差し込んで、立設した円筒管３０を地面に固定してもよいし、脚部３１をコンクリート面や床面に載置したときは、ボルトで締結して円筒管３０をコンクリート面や床面に固定してもよい。
ここでは、板状部材３５を４枚延設しているが、少なくとも３枚延設することにより、円筒管３０を固定することができる。
【００１５】
軸受４０は、台座部２０の底面２２に接合された軸２３を回転自在に軸支するもので、本実施形態においては、軸２３よりも内径がわずかに大きく、軸２３の長さよりも底がわずかに浅い筒状体４１で構成されている。
従って、筒状体４１に軸２３を嵌め込むと台座部２０の底面２２は、円筒管３０の上端からわずかに浮いた状態で軸支されるので、台座部２０は、水平方向に自在に回転する。
ここで、本実施形態では、筒状体４１を軸受４０としているが、軸受４０は必ずしもここで示した筒状体４１に限定する必要はなく、ベアリングを有する一般的な軸受であってもよい。
【００１６】
［第２実施形態］
第２実施形態のホースリール用スタンドは、第１実施形態に比べて、円筒管３０の下部が地中に埋設される分だけ長さが長くなり、下端の周縁には板状部材３５が延設されていない点が相違している。従って、第２実施形態のホースリール用スタンドは、図１及び図４で示した円筒管３０の下端の周縁に延設された板状部材３５が削除され、長さが１４０００ｍｍ乃至１７００ｍｍと、７００ｍｍ程度長くなったものに相当する。よって、共通するそれ以外部分は、説明が重複するので省略する。
【符号の説明】
【００１７】
１０    ホースリール用スタンド
１１    ホースリール
１２    フレーム
１３    ホース
１４    ハンドル
２０    台座部
２１    天面
２２    底面
２３    軸
２４    穴
２５    クランプ
３０    円筒管
３１    脚部
３２    腕金具
３３    穴
３５    板状部材
３６    穴
４０    軸受
４１    筒状体
【図１】
0003230050.tif 000003
【図２】
0003230050.tif 000004
【図３】
0003230050.tif 000005
【図４】
0003230050.tif 000006
【図５】
0003230050.tif 000007
【図６】
0003230050.tif 000008
【図７】
0003230050.tif 000009
【図８】
0003230050.tif 000010
【手続補正書】
【提出日】令和2年10月22日(2020.10.22)
【手続補正１】
【補正対象書類名】実用新案登録請求の範囲
【補正対象項目名】全文
【補正方法】変更
【補正の内容】
【実用新案登録請求の範囲】
【請求項１】
載置したホースリールを固設する天面、及び所定の長さの軸が接合された底面を有する台座部と、
上端には、前記台座部を軸支する軸受が内嵌され、下端には、地中に埋設され、若しくは平面に固定される脚部を有する所定の長さの円筒管と、を備え、
前記ホースリールからホースが引き出されるとき、前記台座部が水平方向に回転自在であることを特徴とするホースリール用スタンド。
【請求項２】
前記軸受は、前記軸の長さよりも底が浅く、該軸が回転自在な内径を有する筒状体であって、前記台座部の前記底面を前記円筒管の前記上端から浮かせて軸支することを特徴とする請求項１記載のホースリール用スタンド。
【請求項３】
前記円筒管の上端周縁及び前記台座部の底面若しくは側面に、該台座部の回転を規制する係止部材を有することを特徴とする請求項１記載のホースリール用スタンド。
【請求項４】
前記円筒管は、前記下端の周縁に、前記平面と平行に延設され、等角度をなした少なくとも３枚の板状部材を有し、該板状部材それぞれの先端付近に形成された穴にスティック・ペグを挿入するか、若しくはボルトを挿入して該平面に固定することを特徴とする請求項１記載のホースリール用スタンド。
【請求項５】
前記ホースリールは、ボルト、ベルト、若しくはクランプを用いて前記台座部に緊合して固設することを特徴とする請求項１記載のホースリール用スタンド。
【請求項６】
前記台座部の側面に、ピンが挿通する穴を形成し、
前記円筒管は、前記台座部の回転に応じて回動する穴に重なる穴が形成された腕金具が前記上端周縁に少なくとも１本延設されたものであり、
前記ホースリールにホースを巻き取るときは、所望の方向に延設された前記腕金具の穴に前記台座部の穴を重ね合せて係止し、前記ホースの巻き取り方向を固定することを特徴とする請求項３記載のホースリールスタンド。